(57)【要約】      （修正有）【課題】複数の混合液や、溶解が可能な粉体や固体を、均一の重量比で混合して、多くのボトルを供給し、混合液体をボトルに充填し、多くのボトルを回収し、ボトルのネジ部にキャップを取り付ける全ての工程を、自動化する装置の提供。【解決手段】溶解する粉体や固体、および液体２０を、均一に混合する第一混合機３と、複数の第二混合機７で、均一な混合を成し、ノズル部１０からボトル１１へ一定量の混合液を充填し、充填したボトル１１の口部に、キャップ１５をとりつける。【選択図】図２
2008189382.tif 000002
【特許請求の範囲】
【請求項１】
溶解する個体や粉体、および液体（２０）と、その各々の複数の供給口（１）と、この供給されたものを混合する回転羽根（２）を有する第一混合機（３）と、第一混合機（３）に接続された複数の第二混合機（７）と、第二混合機（７）に複数のノズル部（１０）とからなることを特徴とした、液体充填装置。
【請求項２】
上記請求項１、に於いて、第一混合機（３）および、あるいは第二混合機（７）の底面、および、あるいは側面に、加熱ヒ−タ−（７０）、（８０）を取り付けることを特徴とする、液体充填装置。
【請求項３】
上記請求項１、２、に於いて、ノズル部（１０）に合わせた容器（１１）の供給装置（１３）と、容器（１１）の回収装置（１４）、とからなることを特徴とする、液体充填装置。
【請求項４】
上記請求項１、２、３、に於いて、複数のノズル部（１４）に具備された各々の流量弁（８）、とからなることを特徴とした、液体充填装置。
【請求項５】
上記請求項１、２、３、４、に於いて、複数のズル部（１４）の各々のタイマ−（４０）とからなることを特徴とした、液体充填装置。
【請求項６】
上記請求項１、２、３、４、５、に於いて、容器回収装置（１４）の一部分に、容器（１１）に蓋を取り付ける回転装置（１６）からなることを特徴とした、液体充填装置。
【発明の詳細な説明】
【技術分野】
【０００１】国際特許分類、Ｂ０１，Ｂ６７、Ｆ０１、Ｆ１６
【背景技術】
【０００２】
【特許文献１】特開平１０−１５７７９９：この特許は、炭酸飲料製造装置に関するもので、炭酸成分供給装置を特徴としており、本発明とは、その装置や目的を異にしている。本発明は、成分を液体および溶解物としており、その供給ボトル充填装置である。【特許文献２】特開２００６−１８８２７６：この特許の充填機は、供給装置と貯留容器と加圧装置と導出装置と充填装置から構成されており、本発明の混合工程とは、全くことなっており、特に加圧装置などは、用いていない。
【特許文献３】特開２００３−２９２１５６：この特許は、所定のトナ−濃度および均一性を保った現像剤を、タンクを介して現像剤充填装置に供給する粉体供給装置であり、本発明とは、装置そのものが、全く異なる。目的も、異にしている。
【特許文献４】特開２００５−１５２８１３：この特許は、成形材料の製造プロセスにおける仕掛品材料の充填肯定に於いて、所定量の液体と原料との混合を均一にする装置である。本発明は、或るプロセスの混合では無く、混合機を二段として、それだけで一つの装置と成っている、液体および溶解物の供給充填装置であり、引用特許とは、プロセスも、装置そのものを、全く異なっている。
【特許文献５】特開２００５−１５２８１３：この特許は、成形材料の製造プロセスに用いる液体添加機構付き充填装置であり、装置そのものの機構が、全く異にしており本発明は、プロセスに用いるものではなく、本発明の装置が、一つの装置である。
【特許文献６】特開２００５−２２５５３１：この特許は、一つの供給ポンプから複数個の液体供給弁へバランス良く液体を供給する装置であり、本発明とは、全く異なる。本発明では、複数の供給口から、液体および溶解物を二段で混合し、ボトルに混合液を定量充填をして、ボトルのキャップを行う一連の装置である。
【特許文献７】特表２００５−５３７１９６：この特許は、少なくとも二つの異なるホットドリンクを供給するための分配装置である。本発明では、そのような供給物の限定は無く、しかもホットな状態の液体を供給するための装置ではない。目的も、装置そのものも、全く異なっている。
【特許文献８】特表２００５−５３７１９５：この特許は、飲料または類似の服用可能な液体食料、たとえばコ−ヒ−、ミルクまたはソフトドリンクの分配に関する装置であり、本発明とは、目的も、構成も、組成も、装置も異なる。
【特許文献９】公表日兵営１８年２月２日（２００６．２．２）：この特許は、内部に溶解されたガスを備えた、出発液から製造された飲料を飲料容器内に充填する装置である。また、液体酸素供給装置により飲料容器内に、予め規定された量の液状の酸素を導入される様に成ったものである。これは、本発明とは、用いる液状物が全く異なり、装置の方も、液体酸素などを用いるものでは無い。目的も、成分も、構成要素も、装置自体も、本発明とは、全く無関係な特許である。
【特許文献】検索した結果、本発明に該当する特許、実用新案は、皆無であった。
【発明の開示】
【発明が解決しようとする課題】
【０００３】複数の混合液や、粉体や固体の溶解液を、均一の割合で混合して、多くの容器を供給し、混合液体を容器に充填し、多くの容器を回収し、容器に蓋を取り付ける全ての工程を、自動化する装置が、求められて居た。
【課題を解決するための手段】
【０００４】複数の混合液体を、各々一定の割合量を制御する。図１、図２、は、その一例で、固体や粉体では、振動ふるいを用いて、定量供給が出来る。液体の場合は、ポンプを用いて、定量供給が出来る。これ等の混合液を、一定の割合で、複数の供給口から第一混合機へ入れる。これ等の混合比は、一定であり、その供給量も、一定である。混合攪拌用の羽根により、均一に混合される。混合をより均一化するために、複数の第二混合機へ移す。この際に、ノズル部に具備した流動部に取り付けた流量弁で、供給口から第一混合機へ供給する量と、複数の第二混合機へ流動させる量とが、同じ量になるように制御する。これは、一般の流量制御バルブを用いる。複数の第二混合機にも攪拌用の羽根があり、より混合液の均一性を向上させる。混合比が均一化された液体は、複数の第二混合に取り付けた流量弁を通って排出口へ出る。その先端部が細く、下へ向いた複数のノズル部から、一定量の混合液体を流す。この時、タイマ−が一定の流量時間、即ち、容器の内容積の合計と等しく成るように設定をする。この吐出速度に合わせて、最初の第一混合機への混合液体の供給速度を、決める。複数のノズル部の下には、容器が口を上にして置き、混合液がボトルの約９５％まで入るように一定時間その状態を続ける。この充填が終わると、複数の容器供給装置が作動して、次の容器をノズルまで移動させる。この移動は、コンベア−でも行なうことが出来る。混合液の充填が終わった容器は、複数の容器回収装置により移動し、その途中、キャップ供給装置でキャップを一つずつ供給し、キャップを回転させる回転装置により、タイマ−で一定時間キャップを回転させ、容器からの液漏れが、無くなる。この回転装置でのキャップの回転は、混合液が充填される前に、キャップがボトルの口の閉まるように、タイマ−を設定する。ボトル回収装置から送られて来る混合液の充填されたボトルは、次の工程へ移動する事となる。また、必要において、第一混合機および、あるいは第二混合機の底面や、側面に加熱ヒ−タ−を取り付けることも、出来る。
【発明の効果】
【０００５】本発明により、複数の溶解する固体と粉体と液体の混合比と供給速度が決まり、その混合比を常に一定に保てる。また、第一混合機と複数の第二混合機には、必要に応じて、加熱ヒ−タ−を取り付けることも出来る。この二つの混合機での攪拌羽根により、一層の各供給物の混合比の均一化が図れる。混合する羽根の形状は、目的に合ったものを、用いることが出来る。タイマ−と流量弁の作用により、一定量の混合液が、ボトルに充填される。供給されたものの混合比が一定に成っている充填されたボトルは、キャップ装置で送られる。このキャップを、キャップ回転装置で、ボトルの口に閉める。これにより、液漏れは無くなり、均一な一定混合比をもつ一定流量の混合液の入ったボトルを、提供することが出来る。また、供給口を複数とれるので、幾つの種類（常識的な範囲）でも可能で、常に均一な混合比を持った混合溶液を、常に一定量を作り出すことが出来る。また、ノズルの数を増やすと、数多くの混合液充填のボトルを作り出すことも出来る。本発明の装置を用いれば、人は必要無く、全自動で、均一の混合比をもつ、混合液が得られる。また、本発明を用いて、例えば、請求項１、２、３、４、５、６、により、塩分と口臭防止剤と液体の混合比が一定の混合液をつくる。この混合液は、次に示す様な効果がある。即ち、この混合液には、塩素イオンとナトリウムイオンが、それぞれ水の分子の水素と酸素に囲まれて、分離した状態で共存して居る。この水の分子の水素に囲まれた塩素イオンの作用に、殺菌作用がある。この殺菌作用と、口臭防止剤の作用により、歯のハグキの腫れ、歯槽膿漏、虫歯、口臭、口内炎、舌癌、咽喉癌、風邪などの予防、および治療の作用を有している。この混合液の使用は、液体で歯を磨いたり、口の中をゆすいだり、うがいなどをするだけで、その効果が、はっきりと出て来る。毎食後の歯磨き、或いは歯磨きの後、或いは、外出からの帰宅時、就寝前、その他、気の付いた時に行なうことが出来る。この混合液は、飲んでも一切害は無く、返って咽喉癌や風邪の予防につながる。舌癌は、舌の傷が元で生じ、また咽喉癌は、喉の炎症から生じる。本混合液で、歯を磨いたり、口をゆすいだり、うがいをすれば、これ等の癌の予防が、出来る。従って、例えば、ペットボトルの様な容器に入れて、炭酸飲料やウ−ロン茶や、特産の名水の様にして、店頭にて販売することも、出来る。本混合液の成分の重量比を、塩或いは塩化物を５から３０、口臭防止剤を１から１０、水などの液体を１００、とした場合に、前記効果が、著しく見られた。また、口臭防止剤として、モント系、シトラス系、パセリオル配合系などが、良く用いられる。詳しくは、レモンミント、グレ−プミント、エクストラミント、シトラスミント、ク−ルミンチ、ペパ−ミント、マイルドミント、グリ−ンアップルミント、ユ−カリシトラスミント、グレ−プフル−ツ、ブラックミント、カシスミント、ベリ−ミント、レッドグレ−プフル−ツ、シロップミント、フレッシュアンドク−ルミント、キシリト−ルミント、ライムシトラス、フレッシュミント、パセリオル配合オイ−チオイル、パセリオル配合レモンオイル、パセリオル配合ミントオイル、およびその他のものも含む、一種類、或いは複数含む液体、或いは粉体や固形物の溶解物である。この混合液を充填したボトルを店頭で販売する際、その名称を、前記の水、液、或いは、用水、用液、或いは香り、とすることが出来る。またその他にも、例えば、お口のゆすぎ液、お口のうがい液、お口の恋人、歯の予防溶液、ハグキの予防溶液、お口のお掃除溶液、お口の予防溶液、潮騒の香り、磯の香り、森の湖、森の泉、湖の香り、森の香り、森林の清水、森林の香り、清水の香り、野原の香り、田園の香り、夢の香り、夜空の香り、月の香り、愛の香り、恋の香り、その他、何でも自由に名前を付けることが出来る。本発明の混合液は、不愉快な口臭を取り除き、口から良い香りを生じさせる。これにより、学生さんや、一般の会社員や、人との接触をする営業の人や、デパ−トやス−パ−に勤めている人や、デ−トをする人や、お見合いをする人や、恋愛をして居るひとや、旅行をする人や、キスをする人や、セックスをする人、その他の人などにも、より一層の効果を生み出す。本混合液を用いて、直接に歯を磨いたり、お口の中でゆすいだり、うがいをすることにより、上記の予防や、その治療が、容易に、簡単に、しかも安価で各家庭でも、達成出来る。
【発明を実施するための最良の形態】
【０００６】本発明での供給口は、各々の供給装置（例えば、ポンプ、振動ブルイ、その他、定量供給装置）を用いて、何種類も、供給できる。また、溶解物の粉末や固形物でも使用できる。効率的には、三から十の供給口が理想的で、多くの種類の均一な混合液が、得られる。それらの重量比も、均一な混合液となる。また、第二混合機を複数（例えば、六つ程度）持ち、その各々の排出口を三ヶ所ずつ取れば、１サイクルで、二十四本の混合液充填ボトルが、得られる。この１サイクルは、４から１０秒程度が、妥当なものである。この二十四本のボトル量と、１サイクルの時間から、最初の供給口での時間当たりの供給量が決まって来る。この量に合わせた、第一混合機と複数の第二混合機の間の流動部の流量を制御する流量弁の開きも決まり、第二混合機から排出口の間の流量弁の開きも、決って来る。また必要に応じて、混合機の底面や、側面に加熱ヒ−タ−を、取り付けることも出来る。
【実施例】
【０００７】本発明の実施例を、図１に、本発明の一例の簡略した平面図と、図２に、本発明の簡略した断面図を示す。供給口は三つで、塩化物と、口臭防止剤と、水である。三つの供給口へは、各々供給量を制御する装置（例えば、ポンプや、振動ぶるい、その他の定量供給装置）がある。この供給口から、大きな第一混合機（混合羽根は例えば、四枚）へ塩化物、口臭防止剤、および水、が入る。第二混合機（混合羽根はたとえば、四枚）を、一例として、六つ設置する。混合機の底面と側面の温度を、五〇℃に設定した。各々の第二混合機には、排出口が、一例として各三列、配置されている。一本のボトルに充填する重量を３００グラムと仮定した場合、１サイクルで必要な供給量は、３００＊６＊３＝５４００グラムである。１サイクルを充填時間は５秒とし、前後の移動時間は１秒とした。この時は、排出口の逆支弁で、混合液の排出を止めている。供給口には重量比で、塩化物２０：口臭防止剤５：水１００、とした。１サイクルが、５秒なので、５秒間に、これらの合計を５４００グラム必要とした。供給物の重量％を計算すると、２０＋５＋１００＝１２５グラムであり、
１サイクルでの、塩化物の量＝２０＊５４００／１２５＝８６４グラム
同様に、口臭防止剤の量＝５＊５４００／１２５＝２１６グラム
同様に、水の量＝１００＊５４００／１２５＝４３２０グラム
検算：８６４＋２１６＋４３２０＝５４００グラム：これを、５秒で供給する。
１分間に換算すると、塩化物＝２８８＊６０／５＝３４５６グラム／分
同様に、口臭防止剤＝７２＊６０／５＝８６４グラム／分
同様に、水＝１４４０＊６０／５＝１７２８０グラム／分
と成った。従って、この各々の供給を制御装置にて、設定した。第一混合機から、各第二混合機への重量＝５４００／６＝９００
１分間に換算すると、９００＊６０／５＝１０８００グラム／分
各排出口からの重量＝３００＊６０／５＝３６００グラム／分
これ等の値を各流量弁にて、設定した。また、キャップを回転させる回転装置は、４秒で閉めることとした。この混合液で、歯を磨いたり、口をゆすいだり、うがいをすると、ハグキが引き締まってきた。また、口臭も程々に良い香りと成った。得られた混合液を乾燥させたら、やはり重量比で、塩化物２０：口臭防止剤５：水１００、であった。
【産業上の利用可能性】
【０００８】本発明は、種々の溶解物を混合して、均一な重量比が求められる作業に適している。また、本装置は全自動であることから、製品が、安全に、容易に、簡単に作れ、かつ、安価と成る。
【図面の簡単な説明】
【０００９】
【図１】  本発明の一例  ：  簡略した平面図
【図２】  本発明の一例  ：  ノズル部とボトル部の簡略した断面略図
【符号の説明】
【００１０】（１）複数の供給口
（２）第一混合機内で混合する羽根
（３）第一混合機
（４）流動部
（５）流量弁
（６）第二混合機内で混合する羽根
（７）第二混合機
（８）流量弁
（９）排出口
（１０）ノズル部
（１１−１）ボトル
（１１−２）ボトル
（１１−３）ボトル
（１１−４）ボトルの先端部のネジ部
（１１−５）ボトル先端部
（１２）ボトル移動装置
（１３）ボトル供給装置
（１４）ボトル回収装置
（１５）ネジの付いたキャップ
（１６）回転装置
（１６−１）キャップ取り付け部
（２０）溶解する固体や紛体、および液体
（２０−１）塩化物
（２０−２）口臭防止剤
（２０−３）液体
（３０）供給量を制御する装置
（４０）タイマ−
（５０）逆支弁
（６０）タイマ−
（７０）底面加熱ヒ−タ−
（８０）側面加熱ヒ−タ−
【図１】
2008189382.tif 000003
【図２】
2008189382.tif 000004